Podtech/llm-jp-corpus-v4-ja_patent huggingface dataset:
(57)【要約】【課題】従来のカラオケ機械にはその曲の原曲のキー（調）がカラオケ装置のモニター画面にもカラオケ装置のリモコン画面にもカラオケ装置に付属する曲目リスト帳にも記載されていなかった為、歌い始めたら、高い、低い等の問題が発生して、最適なキー（調）で歌や演奏が出来なかった。 【解決手段】カラオケ装置のリモコン画面に実行しようとする原曲のキー（調）を表示し、「+１」「+２」又は「＃１」「＃２」、「−１」「−２」又は「♭１」「♭２」等が入力されると、カラオケ装置のモニター画面、及びカラオケ装置のリモコン画面に入力済みのキー（調）を表示することにより、今現在のキー（調）が何調か分かり、最適なキー（調）で歌や演奏が出来、音楽的にも向上することが出来る。一般的にカラオケ装置のリモコンに表示してある「＋１」「＋２」又は「＃１」「＃２」等の数値は半音単位で移調する。 【選択図】図１
2014146060.tif 000002
【特許請求の範囲】
【請求項１】
カラオケ装置の演奏と同期して演奏者の歌唱、楽器演奏を補助するキー（調）情報を表示する装置であって、原曲キー（調）情報を表示できるリモコンと原曲キー情報を表示した曲目リスト帳と記憶媒体と移調システムコントロール部分とカラオケ演奏コントロール部分とビデオ信号回路とオーディオ信号回路と歌詞や背景映像と共に移調後のキー（調）を情報として表示するＴＶモニターとオーディオ信号回路の出力を再生するスピーカーとを具備することを特徴とするカラオケの楽曲キー（調）情報表示装置。
【発明の詳細な説明】
【技術分野】
【０００１】
従来のカラオケ装置だとカラオケのモニター画面にもカラオケのリモコン画面にもカラオケ装置に付属している曲目リスト帳にも原曲のキー（調）を明記していない、一般的にカラオケ装置のリモコン画面に原曲キー０、設定キー０等記載しているだけで、原曲が何調か分からない。
そこで本発明はカラオケ装置のモニター画面、カラオケ装置のリモコン画面、カラオケ装置に付属している曲目リスト帳等に原曲のキー（調）が何調か記載する、例えば原曲Cm（Cマイナー）とか原曲C（Cメジャー）等を明記する。            
【発明の概要】
【発明が解決しようとする課題】
【０００２】
従来だとカラオケ装置のリモコン画面に(原曲キー設定)(原曲０)等記載されているだけで、選曲した曲のキー（調）が明記されていない。
従って、歌い始めたら、あれっ高い、あれっ低い等最適なキー（調）を設定することが出来ないので、カラオケ装置のリモコン画面に原曲のキー（調）を表示する。
【課題を解決するための手段】
【０００３】
従来だとカラオケ装置のリモコン画面に(原曲キー設定)とだけ記載されている、例えば「−２」「−１」(原曲０)「+１」「+２」等表示されている。
この数値は半音単位の数値である。このカラオケ装置のリモコン画面に原曲のキー（調）を明記する。例えば原曲キーCm（Cマイナー）、原曲キーC（Cメジャー）等と明記する。そしてカラオケ装置のリモコン画面に表示している、例えば(原曲キーCm)と表示してあれば、「+１」と入力すると、カラオケ装置のモニター画面に(C#ｍ)と変換済みのキー（調）を表示する。  
【発明の効果】
【０００４】
上述したように、今現在、流れている曲のキー（調）が表示されているので、何調か解かり、自分の歌い易いキー（調）に設定して、歌や演奏が上手く出来る。通常、プロ又は音楽的知識を持っている人達は自分が歌う曲、若しくは演奏する曲のキー（調）を把握しているので、上記の操作をする事によって常にベストなキー（調）で歌や演奏が出来る。
【図面の簡単な説明】
【０００５】
【図１】リモコン等で移調操作後TVモニターで歌唱及び演奏状態を示す図。
【図２】本発明に関わるカラオケの楽曲キー（調）情報表示装置のブロック構成図。
【実施例】
【０００６】
カラオケ装置の演奏と同期して演奏者の歌唱、楽器演奏を補助するキー（調）情報を表示する装置であって図２（A）原曲キー（調）情報を表示できるリモコンと図２（B）の原曲キー（調）情報を表示した曲目リスト帳と図２（C）の記憶媒体と図２（D）の移調システムコントロール部分と図２（E）のカラオケ演奏コントロール部分と図２（F）のビデオ信号回路と図２（G）のオーディオ信号回路と図２（H）の歌詞や背景映像と共に移調後のキー（調）を情報として表示するTVモニターと図２（I）のオーディオ信号回路の出力を再生するスピーカーを具備する事を特長とするカラオケの楽曲キー（調）情報表示装置。
【符号の説明】
【０００７】
A：リモコン
B：曲目リスト帳
C：記憶媒体
D：移調システムコントロール部分
E：カラオケ演奏コントロール部分
F：ビデオ信号回路
G：オーディオ信号回路
H：TVモニター
I：スピーカー
【図１】
2014146060.tif 000003
【図２】
2014146060.tif 000004
(57)【要約】【課題】本発明は、キーをキーボード内に収容することができる電子装置を提供することを目的とする。【解決手段】本発明に係る電子装置は、ベースと、ベースに回転可能に装着されるディスプレイ部と、ベース上に設置されるキーボードと、を備える。キーボードは板体及び板体から突設された複数のキーを備え、各キーは板体からディスプレイ部へ且つ斜め上方へ延伸し、各キーが押圧されると弾性変形し、対応する文字や数字などのデータを入力でき、ディスプレイ部がベースに向けて回転されると、キーは押圧され且つ板体内に収容され、ディスプレイ部はベースの上面に当接される。【選択図】図１
2014146321.tif 000002
【特許請求の範囲】
【請求項１】
ベースと、
前記ベースに回転可能に装着されたディスプレイ部と、
前記ベース上に設置されるキーボードと、
を備えてなる電子装置であって、
前記キーボードは板体及び前記板体から突設された複数のキーを備え、各キーは前記板体から前記ディスプレイ部へ且つ斜め上方へ延伸し、各キーが押圧されると弾性変形し、対応する文字や数字などのデータを入力でき、前記ディスプレイ部が前記ベースに向けて回転されると、前記キーは押圧され且つ前記板体内に収容され、前記ディスプレイ部は前記ベースの上面に当接されることを特徴とする電子装置。
【請求項２】
前記板体において、各キーの下方には開口が設けられ、各キーは対応する開口の前記ディスプレイ部と離れる側壁から延出し、前記ディスプレイ部が前記ベースの上面に当接されると、前記各キーは対応する前記開口に収容されることを特徴とする請求項１に記載の電子装置。
【請求項３】
前記ベース内には回路基板が設置され、前記回路基板上には複数のタッチボタンが設置され、前記タッチボタンは前記キーの下方にそれぞれ位置し、前記キーが押圧されると、前記タッチボタンは対応する前記キーに押圧され、対応する文字や数字などのデータを入力できることを特徴とする請求項１または２に記載の電子装置。
【請求項４】
前記ベースの前記ディスプレイ部に隣接する部分における底面から上面までの距離は、前記ベースの前記ディスプレイ部と離れる部分における底面から上面までの距離より長いことを特徴とする請求項１から３の何れか一項に記載の電子装置。
【発明の詳細な説明】
【技術分野】
【０００１】
本発明は、キーボードを有する電子装置に関するものである。
【背景技術】
【０００２】
従来の技術において、ノートパソコンなどの電子装置のキーボードのキーはベースの上面から突設されている。そのため、電子装置のディスプレイ部とキーボードを設置するベースとの間には、キーを収容するギャップを設けなければならない。従って、キーボードのキーがベースの上面から突設されているため、電子装置を薄型化できない。
【発明の概要】
【発明が解決しようとする課題】
【０００３】
本発明の目的は、前記問題を解決し、キーをキーボード内に収容することができる電子装置を提供することである。
【課題を解決するための手段】
【０００４】
上記目的を達成するために、本発明に係る電子装置は、ベースと、前記ベースに回転可能に装着されたディスプレイ部と、ベース上に設置されるキーボードと、を備える。前記キーボードは板体及び前記板体から突設された複数のキーを備え、各キーは前記板体から前記ディスプレイ部へ且つ斜め上方へ延伸し、各キーが押圧されると弾性変形し、対応する文字や数字などのデータを入力でき、前記ディスプレイ部が前記ベースに向けて回転されると、前記キーは押圧され且つ前記板体内に収容され、前記ディスプレイ部は前記ベースの上面に当接される。
【発明の効果】
【０００５】
本発明に係る電子装置は、ディスプレイ部が前記ベースに向けて回転されると、キーは板体内に収容され、ディスプレイ部と板体との間にギャップが無いので、電子装置を薄型化できる。
【図面の簡単な説明】
【０００６】
【図１】本発明の実施形態に係る電子装置が開けられた状態を示す側面図である。
【図２】図１に示す電子装置の回路基板の斜視図である。
【図３】図１に示す電子装置のキーボードの正面図である。
【図４】図３に示すキーボードの側面図である。
【図５】図１に示す電子装置が閉じられた状態を示す側面図である。
【発明を実施するための形態】
【０００７】
図１〜図４に示したように、本発明の実施形態に係る電子装置は、ベース２０と、ベース２０の一側に回転可能に装着されたディスプレイ部１０と、ベース２０上に設置されたキーボード３０と、を備える。本実施形態において、電子装置は、ノートパソコンである。
【０００８】
ベース２０内には、回路基板２２が設置され、回路基板２２上には、複数のタッチボタン２２１が設置されている。各タッチボタン２２１を押圧することによって、対応する指令、数字、文字などを入力することができる。
【０００９】
キーボード３０は、金属製であり、且つある程度の剛性及び弾性力を有する板体３２及び板体３２上に一体成型で形成された複数のキー３４を含む。板体３２における各キー３４の下方には、開口３６が設けられている。各キー３４は、対応する開口３６のディスプレイ部１０と離れる側壁からディスプレイ部１０へ且つ斜め上方へ延伸する金属片であるため、弾性力を有する。キー３４と板体３２との間の角度は、２２．５度より小さい。板体３２は、回路基板２２の上方に設置され、キー３４は、タッチボタン２２１の上方にそれぞれ位置する。各キー３４が押圧されると、対応するタッチボタン２２１を押圧する。
【００１０】
本実施形態において、各キー３４の側面は、弧形を呈する。全てのキー３４は同じ幅を有する。ベース２０のディスプレイ部１０に隣接する部分の高さ（厚さ）は、ベース２０のディスプレイ部１０と離れる部分の高さ（厚さ）より高い（厚い）、すなわち、ベース２０のディスプレイ部１０に隣接する部分における底面から上面までの距離は、ベース２０のディスプレイ部１０と離れる部分における底面から上面までの距離より長いので、板体３２もディスプレイ部１０へ且つ斜め上方へ延伸する。
【００１１】
電子装置を使用する際、キー３４は、初期の状態（自然状態）であり、板体３２から突出している。この時、キー３４を板体３２に向けて押圧すると、対応するタッチボタン２２１も押圧されて、データを入力することができる。
【００１２】
図５を参照すると、電子装置を使用しない場合、ディスプレイ部１０をベース２０に向けて回転させると、キー３４は弾性変形し、対応する開口３６内に収容される。この時、キー３４の上面は、板体３２の上面と同一平面上に位置し、ディスプレイ部１０は、板体３２の上面に当接する。即ち、ディスプレイ部１０と板体３２との間にギャップが無いため、電子装置を薄型化できる。
【符号の説明】
【００１３】
１０  ディスプレイ部
２０  ベース
２２  回路基板
２２１  タッチボタン
３０  キーボード
３２  板体
３４  キー
３６  開口
【図１】
2014146321.tif 000003
【図２】
2014146321.tif 000004
【図３】
2014146321.tif 000005
【図４】
2014146321.tif 000006
【図５】
2014146321.tif 000007
(57)【要約】【課題】  肌にやさしく、安全であるオリジナル混合溶液が生成できる天然材料を配合した美肌用形成品を提供する。【解決手段】  肌にやさしく、安全が一番のオリジナル混合溶液の材料となる美肌形成物は、自然界に生育している生物の中から、肌にやさしい天然材料を選別する。選別した天然材料から美容エキスが含有している部位を採取、乾燥化、粉末化、粉砕化、混合化、およびゲル状化の加工を経て、安全に肌を守りうるおい、つや、なめらかさに効能がある美肌用形成物を生成することを目的とする。【選択図】なし【特許請求の範囲】
【請求項１】
肌にうるおい、つや、なめらかさに効能がある飲食用植物、食用海藻の材料を乾燥化、粉末化、粉砕化、および混合化で生成した形成物と前述の形成物をゲル化剤でゲル状品に生成した形成物であることを特徴とする美肌用形成物である。
【請求項２】
前記飲食植物と食用海藻の材料は、カリン、ゆず、キンカン、柿、アケビ、スイカ、ゴーヤ、およびかぼちゃの種子とわかめ、昆布、および天草の茎部することを特徴とする請求項１記載の美肌用形成物。
【請求項３】
前記ゲル状品は、乾燥品、乾燥粉末品、乾燥粉砕品、乾燥粉末混合品、乾燥粉砕混合品をゲル化剤で半固体状および固体状の乾燥ゲル状品、乾燥粉末ゲル状品、乾燥粉砕ゲル状品、乾燥粉末混合ゲル状品、乾燥粉砕混合ゲル状品とすることを特徴とする請求項１記載の美肌用形成物。
【発明の詳細な説明】
【技術分野】
【０００１】
本発明は、自然界に生育している植物類、海藻類の中から美肌用に生成した形成物に関するものである。
【背景技術】
【０００２】
工業的に生産されている美容材は、主材に微量の天然エキスと化学物質で構成しているが、化学成分による皮膚刺激性、アレルギー性反応で安全性に疑問を感じる。（特許文献１参照）
【先行技術文献】
【特許文献】
【０００３】
【特許文献１】特開２０１１−０９４０８７号公報
【発明の概要】
【発明が解決しようとする課題】
【０００４】
今まで数々の化学成分によるアレルギー症状等の発生問題があり、化学物質に依存しないことが技術的課題である。  
【０００５】
以上のことから、肌の健康を維持するため、肌荒れ予防の天然保湿成分、皮膚老化防止の天然うるおい成分を含有する材料から、安全、安心に使用できる美肌用の形成物を生成することが望まれている。
【課題を解決するための手段】
【０００６】
本発明に係る美肌用形成物は、肌にうるおい、つや、なめらかさに効能がある飲食用植物、食用海藻の材料を乾燥化、粉末化、粉砕化、および混合化で生成した形成物と前述の形成物をゲル化剤でゲル状品に生成した形成物である。
【０００７】
飲食植物の材料は、カリン、ゆず、キンカン、柿、アケビ、スイカ、ゴーヤ、およびかぼちゃの種子である。食用海藻の材料は、わかめ、昆布、および天草の茎である。各材料をそれぞれ乾燥して乾燥品とする、さらに乾燥品を粉末加工、粉砕加工して乾燥粉末品、および乾燥粉砕品に形成する、さらに前述形成物から２種類以上を選別混合して乾燥粉末混合品、および乾燥粉砕混合品に形成する。
【０００８】
ゲル状品は、乾燥品、乾燥粉末品、乾燥粉砕品、乾燥粉末混合品、乾燥粉砕混合品をゲル化剤で半固体状および固体状の乾燥ゲル状品、乾燥粉末ゲル状品、乾燥粉砕ゲル状品、乾燥粉末混合ゲル状品、乾燥粉砕混合ゲル状品とする。
【発明の効果】
【０００９】
本発明の美肌用形成物と飲料水の量をアレンジして耐熱容器に入れ電子レンジで沸騰させることで、美肌用形成物から美容エキスが溶出してオリジナルな混合溶液を生成することができる。安全で安心できる、この混合溶液を肌に塗擦すること、および清涼飲料水に添加して飲むことにより美肌効果を得えることができる。
【発明を実施するための形態】
【００１０】
本発明の実施形態を説明する。肌にうるおい、つや、なめらかさに効能がある飲食用植物のカリン、ゆず、キンカン、柿、アケビ、スイカ、ゴーヤ、およびかぼちゃの種子と食用海藻のわかめ、昆布、および天草の茎部を採取して自然乾燥、又は強制乾燥で乾燥品に生成する。乾燥品を粉末加工して乾燥粉末品、および乾燥品の一部を除き細かく粉砕加工して乾燥粉砕品に形成する。さらに前述形成物から２種類以上を選別混合して乾燥粉末混合品、および乾燥粉砕混合品に形成する。
【００１１】
乾燥品、乾燥粉末品、乾燥粉砕品、乾燥粉末混合品、および乾燥粉砕混合品をそれぞれゲル化剤で半固体状および固体状の乾燥ゲル状品、乾燥粉末ゲル状品、乾燥粉砕ゲル状品、乾燥粉末混合ゲル状品、乾燥粉砕混合ゲル状品に形成する美肌用形成物である。
(57)【要約】      （修正有）【課題】病気、怪我などで手の握力機能が低下しても、入浴の際などに、タオルを使い体を洗ったり、タオルをたたんだり、片手だけで絞ったりする事を容易にする、使いやすくて便利な多機能なタオルを提供する。【解決手段】タオルの両端を接合し、リング状のタオル１を設け、リング状のタオル１の四隅の対角部に指先を引っかける為の接合部３を設ける。【選択図】図１
2014221180.tif 000002
【特許請求の範囲】
【請求項１】
（イ）一枚のタオルの両端を接合、リング状のタオル（１）を設ける。
（ロ）リング状のタオル（１）の四隅の対角部に指先を引っかける為の接合部（３）を設      ける。
以上の構成よりなる。片方の手だけでも、絞れる多機能タオル。
【発明の詳細な説明】
【技術分野】
【０００１】この発明は病気怪我などで手の握力低下により思うように手が使えず濡れたタオルを絞ることが出来なくなった時、片方の手だけで、少しの力で絞れる、従来のタオルを使いやすくした多機能タオルに関するものである。
【背景の技術】
【０００２】従来のタオルは握力の低下した不自由な手では一枚の長方形の生地で出来たタオルを、絞る、ゆすぐ、体を洗うなど、長すぎ、ばらけてしまい、うまく使うことが難しかった。
【先行文献】
【０００３】特許実用新案第３０８５  ２２２号
【発明の概要】
【発明の解決しようとする課題】
【０００４】病気、怪我などで手の握力機能が低下、入浴の際、従来の長方形のタオルをたたんだり、ゆすいだり、絞ったり体を洗うことを容易にする、使いやすい片手だけでも絞ることのできる多機能タオルを提案する。
【解決手段】
【０００５】タオルの両端を接合、リング状のタオル（１）を設ける事により従来の半分の大きさで、二重生地  保水力、厚みもあり、小型で、不自由になった手でも扱いやすい。
図２に示すようにリングタオルの一端を水道蛇口に固定、もう一方の端に箸のような棒を通しテコにして縄をなうようにタオルを締めあげ、小さな力で絞れるようにした多機能リング状タオルを特徴とする。
【発明の効果】
【０００６】リング状にタオルを接合し、指掛け接合部を付ける事により次のような効果が生まれた。
（イ）リング状にすることにより従来の半分のサイズになり、使用中タオルが長くのび、ばらける事が無く、二重生地、厚み、保水力も変わらず片手だけでも扱いやすくなった。
（ロ）図３に示すようにリング状タオルを頭にかぶり、ヘルメットや帽子と併用、炎天下の屋外作業の日焼け防止になる。のど元で縛ることがないので涼しい風をとりこめる。
（ハ）図４に示すように頭布部（４）と前だれ部（５）を作りヘルメット、帽子、と併用、前だれ部（５）は作業衣の襟元に挟み込み首筋からの寒風が入り込むのを防ぎ、屋外での作業の防寒対策になる。
装着方法は図３の（Ｂ）点をのど元と（Ｃ）点の間を点線の矢印のように引き入れ図４のように、両耳の下で絞りあげ頭布部と前だれ部を二分する。
タオル地はゆるく、ざっくり織ってあるので伸び縮みしやすく頭の形にフィットしやすい。
（ニ）図５に示すように、リング状のタオルに細い紐の輪を用意し両端につけ不自由な手でも、ひもを指にひっかけ手の届かない所をも洗うことが出来る
（ホ）リングタオルを雑巾として使う時、リングタオルを二つ折りにして拭きとり面が４面あり、さらにタオルを裏返して使えば８面も可能、拭きとり面が多いのでゆすぎの回数、ゆすぎ洗いの時間も少なく、節水にもなる。
（ヘ）就寝時、リングタオルを首に通して寝る事により首筋からの冷たい風の入るのを防ぎ保温効果があり暖かに休める。
（ト）汗ふきタオルとして使用する時はリング状タオルを首に通しておくので、ずり落ちる事が無く携行が邪魔にならず作業が出来る。
（チ）リング状タオル（１）のコーナーに設けた指先を掛ける為の接合部（３）に指を掛け、図６に示すように、タオルを対角線方向に引き延ばし、手に握力がなくとも、タオルを指に引っかけ、背中など手の届かない部位も洗える。
（リ）手の機能異常のない人達にも一層便利な使いやすい多機能なタオルになった。
【図面の簡単な説明】
【０００７】
【図１】本発明の斜視図である。
【図２】本発明を使ったタオル絞りの斜視図である。
【図３】本発明を応用利用した日焼け防止頭布の斜視図である。
【図４】本発明を応用利用した防寒頭布の斜視図である。
【図５】本発明を応用使用した紐を使った背中洗いの斜視図である。
【図６】本発明の指掛け用接合部（３）を使った斜視図である。
【発明を実施するための形態】
【０００８】タオルの両端を接合、図１の様なリング状のタオル（１）を設ける。
タオルは元の大きさの半分のサイズになるが、二重生地、厚み、保水力もあり、小型で輪になっているのでバラけることもなく使いやすい。
対角コーナーに設けた指を掛ける為の接合部（３）に指をかけバイヤス方向にタオルを引き延ばし、図６のようにして両端を握らず指先に引っかけタオルを使用出来る。
図２に示すようにリング状タオルの一端を水道の蛇口に固定、もう一方に棒を差し入れ、テコの原理応用、タオルを、縄をなうように巻き上げ少しの力でも絞れるようにした。
固定するものは身近にある蛇口、フック、自分の手足の親指でも可能である。
【符号の説明】
【０００９】１、リング状のタオル
２、タオルの両端の接合部（××××××）で示す
３、指掛け接合部（××××××）で示す
４、頭布部
５、前だれ部
６、水道蛇口
７、延長ひも環
８、しめあげ棒
Ａ−Ｂ−Ｃ−Ｄ、リング状タオルの四隅を示す
【図１】
2014221180.tif 000003
【図２】
2014221180.tif 000004
【図３】
2014221180.tif 000005
【図４】
2014221180.tif 000006
【図５】
2014221180.tif 000007
【図６】
2014221180.tif 000008
(57)【要約】【課題】  電動歯ブラシにあって、手で支えなければ保持できなかった。軽量化、小型化した、電動歯ブラシを提供する。【解決手段】電動歯ブラシ１は、振動を作るモーター２、ボタン電池３、スイッチ４の小型、軽量化をはかり、手で持たずに、電動歯ブラシ全体を上下の歯で支える特徴がある。【選択図】図５
2014221179.tif 000002
【特許請求の範囲】
【請求項１】
振動機能を有する電動歯ブラシであって、上下の歯で保持できる。ハンズフリーを特徴とする電動歯ブラシ。
【請求項２】
毛先部（６）を、図６のように、シリコーン材で突起形状（８）にして歯茎マッサージができる。ハンズフリーを特徴とする請求項１に記載の電動歯ブラシ。
【発明の詳細な説明】
【技術分野】
【０００１】  本発明は，小型、軽量で、ハンズフリー式電動歯ブラシに関する。
【背景技術】
【０００２】  従来の，電動歯ブラシにおいて、近年、家庭内に止どまらず、外室先に携帯する方が多くなってきている、そこで軽量、小型化と種々提案されている。（例えば、特許文献１）【０００３】  また、歯みがきの回数、時間は、１日３回、３〜５分とされているものの、１分くらいが多いとされている。尚、歯ぐきのマッサージも重要である。
【先行技術文献】
【特許文献】
【０００４】
【特許文献１】特開２０１２−２４６２６号公報
【発明の概要】
【発明が解決しようとする課題】
【０００５】  電動歯ブラシは、振動部、電池等で、重くなるが、なお一層の小型化と、軽量化を進めることで、携帯にも便利になる。
【課題を解決するための手段】
【０００６】  そして，本発明は上記目的を達成するために，極小振動モーター（２），電池は、軽量のボタン電池（３）を使用する、
【発明の効果】
【０００７】  上述したように、本発明の長所として、小型、軽量のため、本体を支えることなく、上下の歯、または、歯茎で支えることができる、故に、両手は、歯磨き以外に使用できる、忙しい朝等に効果を発揮する。【０００８】  さらに、図６の歯茎用、シリコーンブラシを差し替えて刺激マッサージができる。
【図面の簡単な説明】
【０００９】
【図１】実施形態の電動歯ブラシを説明するための電動歯ブラシの正面図。
【図２】同じく電動歯ブラシの平面図。
【図３】同じく電動歯ブラシの左側面図。
【図４】同じく電動歯ブラシの右側面図。
【図５】同じく電動歯ブラシの斜視図。
【図６】同じく電動歯ブラシの歯茎用シリコーンブラシの斜視図。
【発明を実施するための形態】
【００１０】  本発明の実施例を図面により説明する。
図１は、本発明に係る電動歯ブラシの正面図で、歯ブラシ体（１）と振動部（２）、ボタン電池（３）、スイッチ（４）を収めた透明ケース本体を示している。連結パイプ（５）は、歯ブラシ体と一体である。
【００１１】図２は、本発明に係る電動歯ブラシの平面図である。
【００１２】図３は、本発明に係る電動歯ブラシの左側面図である。
【００１３】図４は、本発明に係る電動歯ブラシの右側面図である。
【００１４】図５は、本発明に係る電動歯ブラシの斜視図である。歯ブラシ部を歯上下で挟み電動歯ブラシ本体をハンズフリーできる。
【００１５】図６は、本発明に係る電動歯ブラシ毛先の部分をシリコーン材で形成し歯茎マッサージ用歯ブラシの斜視図である、振動部本体は、共通となる。
【符号の説明】
【００１６】１歯ブラシ
２振動モーター
３ボタン電池
４スイッチ
５連結管
６毛先
７振動部本体の透明ケース
８シリコーンの突起
【図１】
2014221179.tif 000003
【図２】
2014221179.tif 000004
【図３】
2014221179.tif 000005
【図４】
2014221179.tif 000006
【図５】
2014221179.tif 000007
【図６】
2014221179.tif 000008
(57)【要約】      （修正有）【課題】従来の水洗トイレが災害・事故等により、断水状態であっても小便の利用はもちろん、便器に器具を据え付けることにより大便を流し落とすことなく、大便のみを容易に捕集して、生ごみ・燃えるごみとして処分することができる汚物受け処理器具を提供する。【解決手段】汚物受け処理器具は、中央部に開口部を有し段差を設けたブリッジプレート１と、開口部に挿入された筒状の外部ポット２と、外部ポット２の中に納まる内部ホルダーポット３と、内部ホルダーポット３内に設けられた袋を備え、ブリッジプレート１を便座の座面に設けて使用する。【選択図】図１
2014221081.tif 000002
【特許請求の範囲】
【請求項１】
中央部に開口部を有し段差を設けたブリッジプレートと、前記開口部に挿入された筒状のポットと、前記ポット内に設けられた袋を備え、前記ブリッジプレートを便座の座面に設けたことを特徴する汚物受け処理器具。
【請求項２】
ポットは外部ポットと内部ホルダーポットの複数に構成されていることを特徴とする
請求の範囲１記載の汚物受け処理器具。
【発明の詳細な説明】
【技術分野】
【０００１】
本発明は従来の簡易トイレが一緒に処理していた小便・大便を分別処理し、大便のみの捕集を簡便にする方法を図った汚物受け処理器具に関する。
【背景技術】
【０００２】
人は毎日およそ小便を２〜５回程、大便を１〜２回程排便する。
【０００３】
通常の水洗トイレは小便・大便を一緒に処理してしまう。しかし災害・事故等により断水状態の時は、水洗トイレは使用不可能となり、かろうじて小便のみ使用可能となる。
【０００４】
大便のみ処理、保管することにより、生ゴミ、燃えるゴミとして扱い処分することができる。
【０００５】
災害時等設置の移動簡易トイレは小便・大便を一緒に貯留するため、特に量の多い小便のために、満杯になりやすく、バキュームカーでの回収も頻繁となる。また、大・小便一緒の貯留により水分が多いためゴミ処理場での処分も容易ではない。
【０００６】
簡易トイレは小便・大便を一緒に処理するものもあれば、分別して容器を設けるものもある、（例えば、特許文献１参照。）
【先行技術文献】
【特許文献】
【０００７】
【特許文献１】特開２００７−０５４５２４
【発明の概要】
【発明が解決しようとする課題】
【０００８】
従来の水洗トイレが断水状態に陥った場合小便の利用は可能だが、大便の利用が出来なくなる。
【０００９】
災害時等の移動簡易トイレは利用者の多さにトイレ個数が限られて、大変な混雑と混乱を招く。
【００１０】
従来の水洗トイレが災害・事故等により、断水状態であっても小便の利用はもちろん、便器に器具を据え付けることにより大便を流し落とすことなく、大便のみを容易に捕集して、生ごみ・燃えるごみとして処分することができる。
【００１１】
災害時等において各戸にて緊急にトイレが使用することができれば、移動簡易トイレの使用頻度が減り、混雑・混乱の解消になる。
【課題を解決するための手段】
【００１２】
上記の目的を達成するために、本発明の汚物受け処理器具は、ブリッジプレートとポット（外部ポットと内部ホルダーポット）で構成されている。
【００１３】
汚物受け処理器具の実際の使用時には内部ホルダーポットに袋と排水処理できるペーパーをかぶせて使用する。
【発明の効果】
【００１４】
本発明は従来使用している便器が断水状態であっても利用できるように、小便・大便を完全分別して、小便は従来通り便器内に汚水として流してしまう。
【００１５】
便器の便座下後部にブリッジプレートを設置して、ブリッジプレートに外部ポットを設ける。内部ホルダーポットには袋と排水処理できるペーパーをかぶせる。完全分別された大便はペーパーに包含され袋におさまり、尻拭いしたペーパー共に袋におさまった汚物は一般生ゴミとして処理をする。
【００１６】
袋とペーパーをかぶせる内部ホルダーポットは外部ポットの中に納まるため、内部ホルダーポットは直接汚物が付着することなく清潔である。
【図面の簡単な説明】
【００１７】
【図１】汚物受け処理器具の実施形態を示す概略図。
【図２】汚物受け処理器具の使用形態を示す展開図。
【図３】汚物受け処理器具の使用形態を示す断面図。
【発明を実施するための形態】
【００１８】
以下、本発明の実施の形態を図１〜図３に基ずいて説明する。
【００１９】
図１において、既存の便器の便座を後方に上げ、便器本体後部にブリッジプレートを載せる。ブリッジプレート中央の丸い開口部に外部ポットを嵌め込み、ポットは外部ポットと内部ホルダーポットから構成され、外部ポットの中には内部ホルダーポットを差し込む。使用時には、内部ホルダーポットに袋を内側に広げその上から排水処理できるペーパーを内側に広げる。袋とペーパーを設置した状態で内部ホルダーポットを外部ポットの中に差し込む。      
【００２０】
図２は、汚物受け処理器具の展開図である。
【００２１】
図３は、汚物受け処理器具の断面図である。
【００２２】
この汚物受け処理器具は汚物捕集後に内部ホルダーポットを取り出し、袋の中にはペーパーにくるまれた汚物が収まっており、袋を取り出して直ちに封をする。
使用その都度処理する内部ホルダーポットは外部ポットの中に納まっており、汚物の付着がなく非常に清潔に使用できる。
【符号の説明】
【００２３】
１  ブリッジプレート
２  外部ポット
３  内部ホルダーポット
４  袋
５  排水処理できるペーパー
【図１】
2014221081.tif 000003
【図２】
2014221081.tif 000004
【図３】
2014221081.tif 000005
(57)【要約】      （修正有）【課題】心筋梗塞発症ウサギであるＷＨＨＬＭＩ（Ｗａｔａｎａｂｅ  ｈｅｒｉｔａｂｌｅ  ｈｙｐｅｒｌｉｐｉｄｅｍｉｃ  ｒａｂｂｉｔ  ｍｉｏｃａｒｄｉａｌ  ｉｎｆａｒｃｔｉｏｎ）に９０％以上の心臓死を惹起させることで、心筋梗塞の治療薬の開発のための急性心臓死動物モデルを提供する。【解決手段】高コレステロール血症と冠状動脈硬化を呈しているウサギ、好ましくはＷＨＨＬＭＩウサギ、にアンジオテンシンIIを投入して作製される急性心臓死動物モデルおよび前記モデルの作製方法。【選択図】図１
2014221016.tif 000002
【特許請求の範囲】
【請求項１】
高コレステロール血症と冠状動脈硬化を呈しているウサギにアンジオテンシンIIを投入して作製されることを特徴とした急性心臓死動物モデル
【請求項２】
高コレステロール血症と冠状動脈硬化を呈しているウサギにアンジオテンシンIIを投入することを特徴とした急性心臓死動物モデルの作製方法
【請求項３】
前記ウサギは心筋梗塞発症ウサギであるＷＨＨＬＭＩ（ＷＨＨＬ  ｍｉｏｃａｒｄｉａｌ  ｉｎｆａｒｃｔｉｏｎ）ウサギであることを特徴とする請求項２に記載の急性心臓死動物モデルの作製方法
【発明の詳細な説明】
【技術分野】
【０００１】
本発明は、動脈硬化疾患による急性心臓死動物モデルに関する。
【背景技術】
【０００２】
心疾患による死亡は国内では死因の第２位であり、その約６０％を占める心筋梗塞を主とする虚血性心疾患への対応の重要性が指摘されている。心筋梗塞の発症については、臨床データの集積によって、動脈硬化病変部位に生ずる血栓等による冠状動脈の閉塞が重要な役割を果していることが指摘されている。しかし、心筋梗塞を自然発症する適切なモデル動物が存在しないことから、心筋梗塞の発症メカニズムの詳細については解明されていない。
【０００３】
ＷＨＨＬウサギ（Ｗａｔａｎａｂｅ  ｈｅｒｉｔａｂｌｅ  ｈｙｐｅｒｌｉｐｉｄｅｍｉｃ  ｒａｂｂｉｔ）は、低比重リポタンパク（ＬＤＬ）受容体遺伝子の異常に基づく循環血液中のＬＤＬの異化の遅延が原因して高コレステロール血症を呈し、離乳直後から大動脈や冠動脈等に動脈硬化病変を自然発症するウサギとして周知である。ＷＨＨＬウサギは、選抜交配によって冠動脈に高度の動脈硬化病変が発症する。しかし、心筋梗塞の発症頻度は低く、発生した心筋病変は軽度であった。ヒトの高脂血症に対応させるため、選抜交配によって心筋梗塞を好発するＷＨＨＬウサギの開発の研究が継続されているが、特に発生率の高いウサギが得られていなかった。本発明で用いられる心筋梗塞発症ウサギの好ましい例としては、ＷＨＨＬＭＩ（ＷＨＨＬ  ｍｉｏｃａｒｄｉａｌ  ｉｎｆａｒｃｔｉｏｎ）ウサギが含まれる。ＷＨＨＬＭＩウサギは、条件を満たすウサギを５世代−７世代にわたって選抜交配を継続することによって得られている（特許文献1）。
【先行技術文献】
【特許文献】
【０００４】
【特許文献１】特開2004-89148公報
【発明の概要】
【発明が解決しようとする課題】
【０００５】
高コレステロール血症と冠状動脈硬化を呈しているWHHLMI心筋梗塞ウサギモデルは30カ月齢になってから、自然発症心筋梗塞の発生がみられる。しかし、自然発症心筋梗塞は散在的であり、いつ心筋梗塞が発症するのか、また、いつ心筋梗塞による心臓死を引き起こすのかを正確に捉えることができず、治療薬開発のための応用としては困難であった。
【課題を解決するための手段】
【０００６】
上記目的を達成するために、以下の本発明の構成によって達成することができる。
【０００７】
本発明は、90％以上のWHHLMIウサギの心臓死を惹起させることで、心筋梗塞の治療薬の開発のための新しい急性心臓死動物モデルを提供する。
【発明を実施するための形態】
【０００８】
次に、本発明の実施形態について説明する。本発明は、高コレステロール血症と冠状動脈硬化を呈しているWHHLMIウサギにアンジオテンシンIIを投与することによって、短期間で且つ発生率の高いウサギ心臓死モデルを作製する。
【図面の簡単な説明】
【０００９】
【図１】アンジオテンシン投与による生存率の経日変化を示す。
【図２】死亡したウサギを病理解剖の写真を示す。
【図３】死亡したウサギの心壁の厚さを測定した写真を示す。
【図４】死亡したウサギの心筋の急性心筋梗塞（壊死、水腫、炎症細胞の浸潤）などの陳旧性心筋梗塞像を示す。
【図５】死亡したウサギの心筋の線維化、石灰化などの陳旧性心筋梗塞像を示す。
【図６】死亡したウサギの冠状動脈硬化の狭窄や内膜の糜爛、血栓の形成を示す。
【図７】死亡したウサギの冠状動脈硬化の狭窄や内膜の糜爛、血栓の形成を示す。
【実施例】
【００１０】
本実施例では、神戸大学から提供された7カ月齢の冠状動脈硬化を有しているWHHLMIウサギを使用した。3群に分けて、(1)正常群（生理食塩水）と、(2)アンジオテンシンII
（AngII）（100ng/kg/min、低ドーズ)群，(3)AngII（200ng/kg/min、高ドーズ)群にOsmotic minipump (Alzet Model 2ML4, Durect Corporation, Cupertino, CA)でAngIIを投与した。Minipumpはウサギの頚部皮下に埋め込んで28日間留置した。ウサギには正常食を与えて、1週間毎に体重検査や血液検査、血圧測定などを行い、28日目で生存しているウサギを安楽死させ、解剖を行った。心臓、肺、腎臓、血管などの各臓器の組織標本は病理学的な解析を行った。
【００１１】
AngIIの投与により、6日目からWHHLMIウサギの死亡が確認され、28日目で、高ドーズ群では90％、低ドーズ群では60%のウサギが死亡している。正常群においては死亡したウサギはいなかった（図１）。死亡したウサギを病理解剖で検査したところ、全てに肺の水腫や、出血、充血が認められた。これらの病理所見から、ウサギの死因は左心室不全によるものと推定された（図２）。心臓の断面を観察し、心壁の厚さを測定した。正常ウサギの心壁と比べて、AngII群のウサギの心壁が厚く、特に死亡したウサギの心壁肥厚が著明であった（図３）。従って、AngIIの投与により、心肥大症の発症を誘導されていることが示唆された。光顕で心筋組織を調べたところ、死亡したウサギの心筋には、急性心筋梗塞（壊死、水腫、炎症細胞の浸潤）や線維化、石灰化などの陳旧性心筋梗塞像もしばしば認められた（図４−５）。心筋梗塞の原因となっている冠状動脈硬化については、本研究室で確立された方法にて左右の冠状動脈を評価した。正常群ウサギと比べて、死亡したウサギの冠状動脈硬化の狭窄や内膜の糜爛、血栓の形成がしばしば観察された（図6−7）。
【図１】
2014221016.tif 000003
【図２】
2014221016.tif 000004
【図３】
2014221016.tif 000005
【図４】
2014221016.tif 000006
【図５】
2014221016.tif 000007
【図６】
2014221016.tif 000008
【図７】
2014221016.tif 000009
(57)【要約】      （修正有）【課題】バイク等のヘルメットシールドは着用者の排気等により曇りやすい。ヘルメット本体から吸入した外気をシールド内側に導く方式では導入外気の圧が低く防曇効果が低い。また、曇り止め薬品による防曇効果は有効時間が限定的であり、必要に応じ再度塗付ける必要がある。また、シールドの二重化は費用が高価となる。【解決手段】ヘルメットシールドに外気導入口を設け、ヘルメット本体に導入外気整流板を設置し、走行による導入外気を効果的にヘルメットシールド内側に整流することにより防曇を持続的に実施することを特徴とするヘルメットシールドの曇り防止装置。【選択図】なし【特許請求の範囲】
【請求項１】
ヘルメットシールドに外気導入口を設け、走行することにより導入される外気をヘルメットシールド内側又はヘルメット本体に設置した導入外気整流板に当て、ヘルメットシールド内側に流れるように外気を整流し、整流された導入外気によるヘルメットシールド内側の曇りを防ぐヘルメットシールド防曇装置
【請求項２】
ヘルメットシールドに外気導入口を設け、走行することにより導入される外気を着用者顔面等に当て体感温度を低下、ヘルメット内の換気効率を向上させる装置。
【発明の詳細な説明】
【技術分野】
【０００１】この発明は、ヘルメットシールド内側の防曇および換気顔面冷却に関する。
【背景技術】
【０００２】従来のヘルメットシールドの防曇は、ヘルメット本体から吸入した外気をシールド内側に導く方式、シールドを二重化にする方式、曇り止め薬品の塗付け方式であった。
【発明の概要】
【発明が解決しようとする課題】
【０００３】この発明は、安価で持続する防曇効果および換気顔面冷却を提供するものである。
【課題を解決するための手段】
【０００４】以上の課題を解決するために、ヘルメットシールドに外気導入口を設置し、導入外気整流板で導入外気の流れをシールド内側に向け、防曇および換気顔面冷却を目的としたことを特徴とするヘルメットシールド防曇装置である。
【発明の効果】
【０００５】ヘルメットシールドに外気導入口を設け、導入した外気をヘルメットシールド内側又はヘルメット本体に設置した導入外気整流板に当て、ヘルメットシールド内側に流れるように外気を整流し、整流された導入外気によりヘルメットシールド内側の曇りを防ぐ。また、導入外気が着用者顔面に当たるため体感温度を低下させると共に、換気効率を向上させる。
【図面の簡単な説明】
【０００６】
【図１】本発明の実施形態（ジェットヘルメット）を示す斜視図である。
【図２】本発明の実施形態（ジェットヘルメット）の断面図である。
【図３】本発明の外気導入口のみ使用の実施形態（ジェットヘルメット）を示す斜視図である。
【図４】本発明の外気導入口のみ使用の実施形態（ジェットヘルメット）の断面図である。
【図５】本発明の実施形態（フルフェイスヘルメット）を示す斜視図である。
【図６】本発明の実施形態（フルフェイスヘルメット）の断面図である。
【図７】本発明の外気導入口のみ使用の実施形態（フルフェイスヘルメット）を示す斜視図である。
【図８】本発明の外気導入口のみ使用の実施形態（フルフェイスヘルメット）を示す断面図である。
【図９】本発明の外気導入口を複数設置実施形態（フルフェイスヘルメット）を示す斜視図である。
【図１０】本発明の外気導入口を複数設置実施形態（フルフェイスヘルメット）の断面図である。
【発明を実施するための形態】
）
【０００７】この発明の一実施形態を、図２に示す。
ヘルメットシールドの所要場所に外気導入口３（１〜複数個）を設け、ヘルメット本体１側に外気導入口３からの導入外気をヘルメットシールド２内側に整流させるための導入外気整流板４を設置する。
【他の実施形態】
【０００８】図１の実施形態では、ヘルメットシールド２の一部に外気導入口３を設置するが、他の実施形態では他の位置に複数設置したものでも良い。
【符号の説明】
【０００９】１  ヘルメット本体            ２  ヘルメットシールド
３  外気導入口                ４  導入外気整流板
【図１】
2014221964.tif 000002
【図２】
2014221964.tif 000003
【図３】
2014221964.tif 000004
【図４】
2014221964.tif 000005
【図５】
2014221964.tif 000006
【図６】
2014221964.tif 000007
【図７】
2014221964.tif 000008
【図８】
2014221964.tif 000009
【図９】
2014221964.tif 000010
【図１０】
2014221964.tif 000011
(57)【要約】【課題】くり抜いた生地の裏側から、他の生地をあてる時に、切り口のところの糸がほつれるということで、裏側から生地をあてることができないという課題があった。【解決手段】生地を切り取る時に、熱で切り取り部分の生地を溶かしながら切り取るという解決手段により、ある生地を切り抜き、その裏側から生地をあてるということが、可能となった。注意書きこの申請は、糸がほつれないようにするために、ハンダナイフで切り口を溶かしながら切る、という方法の申請ではなく、これまでになかったと思われる、生地を切り抜き、裏側から別の生地をあてる、という方法についての申請であり、この点を勘違いなさらないように注意されたい。【選択図】図１
2014221959.tif 000002
【特許請求の範囲】
【請求項１】
くり抜いた生地の裏側から、接着剤あるいは縫製により他の生地をあてるという方法
【発明の詳細な説明】
【技術分野】
【００１】透ける生地を最大限に活用する方法に関する考案である。
【背景技術】
【００２】ある生地をくり抜き、裏から別の生地をあてるという方法が、ありそうでなかった。
【発明の概要】
【発明が解決しようとする課題】
【００３】生地の裏から別の生地をあてる時に、切り抜いた部分の糸がほつれるのをなんとかできないか、という課題があった。
【課題を解決するための手段】
【００４】糸がほつれるということを防ぐ手段として、繊維織布、染色業界で用いていた、ハンダゴテの先端をナイフのような形にしたものに作り変える。
【発明の効果】
【００５】ハンダゴテをナイフのような形にすることで、微妙なラインを、熱で切り取り口の部分を溶かしながら切り取れるので、切り口の糸のほつれがなくなる。よって、くり抜いた生地の裏側から別の生地をあてるという方法が可能になる。
【発明を実施するための形態】
【００６】生地をくり抜き、裏側から別の生地を縫製して縫いつけたり、接着剤で接着したりする。
【図面の簡単な説明】
【００７】
【図１】切り抜きの一例  星印、ハートマーク、トランプのダイヤを例とした図です。シャツは、全面ではなく、背面にボタンやチャックがあるものを想定しました。
【図２】先端をナイフの形ようにしたハンダゴテ
【符号の説明】
【００８】１  シャツ
２  星型、ハート型、ダイヤ型に生地をくり抜き、裏側から別の生地をあてた例
３  ナイフのような形にしたハンダゴテ
【図１】
2014221959.tif 000003
【図２】
2014221959.tif 000004
(57)【要約】      （修正有）【課題】燃料タンクから内燃機関までの設置場所を選ばず取り付け可能な、排気ガス清浄を目的とする内燃機関用石油燃料の燃料低炭素化装置を提供する。【解決手段】燃料給油ラインに装着する燃料滞留容器の内部に電磁波ジュール熱発生金属８を配置し、その外周にボビン状の素材にソレノイドコイル１を設定しＤＣ電流を通じることにより強力磁波を発生させる。【選択図】図１
2014211151.tif 000002
【特許請求の範囲】
【請求項１】
内燃機関に供給する石油燃タンクとエンジンの中間に低炭素化装置を挿入し、ボビン状燃料部に低炭素化を目的とする滞流容積をもうけ、滞留時、搭載、直流電源を利用してボビン外部に装着したソレノイドコイルにより強力磁波、及び、ジュール熱誘導加温による内部変化を生成する内燃機関燃料低炭素化装置。
【請求項２】
上記、低炭素化装置は対象エンジンにより発電する直流電源を利用してボビン状のパイプに電線を巻き、当該アンペアにより磁波を発生させる。
【請求項３】
上記ボビン状の内部を燃料通過の際、磁波によるイオン発生、及び成分変化により細分子効果を得られる。
【請求項４】
上記、低炭素化装置のパイプ状の内部に受磁波効果に拠る細分子化と優れた金属片を挿入し、磁波によりジュール熱誘導加温を介して粒子の整列化が目的の燃料低炭素化装置。
【請求項５】
上記の方法により強力磁波効果による内部金属の加温とイオン化び細分子化の整列化により機関の爆発時間の延長が爆発衝撃を少なくして排ガスを減少させると同時に排気音と黒煙削減をはかる目的の内燃機関燃料低炭素化装置。
【請求項６】
上記の細分子化により整列化された燃料により燃焼時の延長を図りＮＯｘの発生を抑える制御が可能である。
【請求項７】
上記、磁波効果による、細分子化の整列化効果に燃焼時間の延長を図る事で燃費を少なくし、上記ＮＯｘの削除、ＣＯ２．ＣＯ．ＨＣ．等の爆発衝撃減少による騒音効果が得られる内燃機関燃料低炭素化装置。
【発明の詳細な説明】
【発明の詳細な説明】
【０００１】本発明は石燃料の燃焼効化を図り近年の改革化の上に燃費削減を実現化に関る内燃機関燃料低炭素化装置
【技術分野】
【０００２】高圧噴射で少量の燃料を完全燃焼させ黒煙の発生を防ごうとすると、高温高圧下でシリンダー内の窒素（空気）によりＮＯｘが生成されてしまう、このため、ガソリンエンジンと比べてより多くの空気（窒素）を吸い込むジーゼルエンジンは黒煙の発生対策上最高の対策が必要で上記装置はジュール熱加温細分化の上、整流化の状態で爆発させる為、燃焼爆発時間の延長で完全燃焼が可能な低炭素化装置。【０００３】当、低炭素化装置は、高磁波により成分の細分化、及びジュール熱有効活用し、金属コアーを加温による細分子整列化を図り燃焼時間を延ばし温度と圧力のピーク値を抑えると炭素分，その他の障害成分の発生を抑る事が可能な低炭素化装置。
【発明が解決しようとている課題】
【０００４】各燃料製油企業においては環境に応じた燃焼時に其々の排気ガス処理は淘汰され、わが国では企画に応じた内燃機が搭載されている尚、適切に細分化処理をした燃料により，完全に燃焼を図り省エネを目指す、内燃機関燃料低炭素化装置。
【問題を解決する為の手段】
【０００５】そこで本発明の石油燃料低炭素化装置はボビン状の素材にソレノイドコイルコイルを外部に着用し、ＤＣ電流を通じる事で強力磁波を発生させる。
【０００６】上記、強力磁波を発生させたボビン内の、燃料滞留部分に磁波を受けた金属片にアモルファスを皮膜状に巻きつけ、ジュール熱の有効化を得て同装置内の燃料を接触通過させ（電子）イオン変換を可能にする燃料低炭素化装置。
【図面の簡単な説明】
【０００７】
【図１】簡単な構造断面図
【図２】簡単な構造斜視図  簡単な構造図面
【符号の説明】
【０００８】１  ソレノイドコイル
２  安全対策サーモスタット
３  受電安定コントロール基盤
４  搭載発電機出力ＤＣ導入リード線
５  安全対策ヒューズ２Ａ
６  メンテナンス用蓋締め付けボールト６本
７  ＬＥＤパイロットランプ
８  電磁波ジュール熱発生金属
９  燃料給油送油口
１  特殊樹脂性本体
２  ソレノイドコイル絶縁皮膜
３  ジュール熱発生金属
４  ソレノイドコイル
５  樹脂性ボビン
６  メンテナンス用取り外し、締め付け蓋用ねじ穴
７  ふた用耐油、耐熱用パッキン
【図１】
2014211151.tif 000003
【図２】
2014211151.tif 000004